(57)【特許請求の範囲】
【請求項１】
モニタキーボード表の表示と非表示の制御方法において、
（１）指のタッチパッドへの接触を受けてモニタ上にキーボード表を表示するステップ、（２）該キーボード表の文字キーに対応する該タッチパッドの文字キーエリアを指がプッシュするのを受けて、該文字キーに対応する文字を入力するステップ、
（３）入力された文字が結末文字であると、モニタ上のキーボード表を即刻非表示とするステップ、
を少なくとも有することを特徴とするモニタキーボード表の表示と非表示の制御方法。
【請求項２】
請求項１記載のモニタキーボード表の表示と非表示の制御方法において、前記（３）のステップにおいて、該結末文字は文を区切るのに用いる文字であることを特徴とするモニタキーボード表の表示と非表示の制御方法。
【請求項３】
請求項１記載のモニタキーボード表の表示と非表示の制御方法において、前記（２）のステップは、更に時間超過計算ステップを含み、指が該タッチパッドに触れない時間が設定時間を越えた場合、該モニタ上のキーボード表を消失させることを特徴とするモニタキーボード表の表示と非表示の制御方法。
【請求項４】
請求項１記載のモニタキーボード表の表示と非表示の制御方法において、前記（３）のステップは、更に、入力されたのが該キーボード表の編集位置調整キーに対応する編集位置調整命令であると、モニタ上のキーボード表を非表示とするが、タッチパッドは依然として文字入力機能を維持することを特徴とするモニタキーボード表の表示と非表示の制御方法。
【請求項５】
請求項１記載のモニタキーボード表の表示と非表示の制御方法において、前記のキーボード表上には更に、一つの臨時編集器を含み、文字入力時、臨時に先ず該臨時編集器上に表示し、並びに文字列を形成し、結末文字が入力されると、該モニタ上のキーボード表を非表示とし、臨時編集器上の文字列を編集したい文書中に移動させることを特徴とするモニタキーボード表の表示と非表示の制御方法。
【請求項６】
請求項２記載のモニタキーボード表の表示と非表示の制御方法において、前記の文を区切る文字は、読点、句点、クエスチョンマーク、感嘆符、コロン、セミコロンのいずれかであることを特徴とするモニタキーボード表の表示と非表示の制御方法。
【請求項７】
請求項４記載のモニタキーボード表の表示と非表示の制御方法において、前記編集位置調整キーが、上、下、左、右キーの方向キー、後退削除キー、入力キー、空白キー、タブキーのいずれかであることを特徴とするモニタキーボード表の表示と非表示の制御方法。
【請求項８】
請求項４記載のモニタキーボード表の表示と非表示の制御方法において、前記タッチパッドは一つのタッチモニタであることを特徴とするモニタキーボード表の表示と非表示の制御方法。
【発明の詳細な説明】
【技術分野】
【０００１】
本発明は、モニタキーボード表の表示と非表示の制御方法に関するものであり、これにより、特にユーザーの入力便利性を高め、並びに適時にキーボード表を隠すことができユーザーの閲覧に便宜を図る。
【背景技術】
【０００２】
パソコンは既に携帯式時代へと進化を遂げ、各メーカーは、携帯可能で、随時どこでも操作可能なパソコンの開発を非常に希望している。電力持久力と演算効果は必ず考慮しなければならず、それには半導体業者の開発する節電部品や電池メーカーの開発する高容量電池に頼らなくてはならない。しかしながら、場所の制限を受けないメカニズムは、システム設計メーカーの設計に頼らなければならず、現行のノートブックパソコンは、二部分折り畳み式方式を採用、一部分にはパソコンモニタもう一部分にはキーボードを備え、折り畳み方式によって二者をほぼ垂直にし、机上に置く故、非常に便利に使用できる。しかし、手に持って操作するのは不便で、目下、手に持って操作するケースはほとんどがタッチパッドパソコンを主軸としている。タッチパッドパソコンとは、モニタをパソコンボディ上面に設計したものであり、ユーザーは片手でパソコンを抱え片手のタッチペンでタッチモニタ上の機能キーまたは書いてある内容を選択する。
【０００３】
タッチパッドパソコンは、掌の上で操作可能であるが、多くのパソコンの主な仕事は文字入力に関するものであり、タッチパッドパソコンは、タッチペンを使って書き込む方式を主な入力方法としている故、この種の方法は、元来のキーボード入力より遅く大変である。携帯便利性には大きな進歩があったものの、入力の便利性には後退が見られ、多くの者はタッチパッドパソコンの発展に期待を寄せていないのが現状である。よってタッチパッドパソコンは、例えば、医者の病室巡廻、倉庫の棚卸等ただ選択上で選択するだけの場合や、文字入力の比較的少ない場合の特殊用途に制限されて利用されている。
【０００４】
もう一種の方法は、二段式タッチセンサタッチパッドを利用しモニター上に表示されるキーボード表に組み合わせたものであり、指でタッチパッド上位置に対応する文字をタッチすると、キーボード表中に特別表示がなされ、タッチ時に該文字が入力され、該タッチパッドは、更にタッチ時に段差感を持つように設計されており、並びに、いくつかの二段式タッチセンサタッチパッドを合わせて組み合わせて一つのモニタに対応するキーボード表を形成することもできる。これにより、多くの指で同時操作するのを便利にし、操作感覚は一般の伝統的なキーボードに更に近くなり、面積を極小化し、モニタ上にキーボードの配列と指のタッチ位置を表示することさえも可能であり、本体後方に設計しても同じように操作可能である。
【０００５】
前述方式は全てモニタを使って一つのキーボード表を表示しなければならない為、該キーボード表はモニタの一部を占め、特にタッチモニタは指によるタッチを便利にする為に、通常キーボード表面積も大きく、大半の表示画面を遮る故、いかにモニタ上のキーボード表を必要な時に自動表示し、不要な時に自動的に非表示とするかが我々の努力目標である。
【発明の開示】
【発明が解決しようとする課題】
【０００６】
一般的に、多くのパソコン作業において、例えば、ネット上でのホームページ閲覧、ゲーム、映画鑑賞等は文字入力を必要としていないが、たとえばe-mailの送信返信、MSNや文書編集等の作業には、やはり文字入力が非常に必要である。これらの作業編集の時にはキーボード表をモニタ上に出現させる必要があるが、編集過程において、自分で書いた結果や文書全体の構造を見なければならないことがよくあり、この時、キーボード表が完全に消失し、モニタを邪魔しないようにすることが希望される。幸いな事に一般人の文字入力の習慣は、一つの単語や全体文の入力が完了してから、注意して入力結果をチェックするのが普通である。
【０００７】
公知の欠点に鑑み、前述問題を解決したいのなら、ユーザーが、例えばスペースキー、句点（ピリオド）、読点（カンマ）、クエスチョンマーク、コロン等文字の結末文字や入力キー（Enter）等を入力した後に、キーボード表を自動的に臨時非表示とし、タッチパッド或いはタッチモニタが再度接触された時にキーボード表を再度表示することが可能である。これによりキーボード表がモニタを遮る不便を減少させることができる。
【０００８】
本発明の主な目的は、一種のモニタキーボード表の表示と非表示の制御方法を提供するものであり、それは、敏捷にモニタ上のキーボード表を自動的に表示して文字入力時に使用でき、入力結果を検閲する時に、該キーボード表が自動的に非表示として文書を遮ることを防ぐものである。
【課題を解決するための手段】
【０００９】
本発明に関する方法は、少なくとも下記のステップを含む。
（１）指のタッチパッドへの接触を受けてモニタ上にキーボード表を表示するステップ、（２）該キーボード表の文字キーに対応する該タッチパッドの文字キーエリアを指がプッシュするのを受けて、該文字キーに対応する文字を入力するステップ、
（３）入力された文字が結末文字であると、モニタ上のキーボード表を即刻非表示とするステップ、
を少なくとも有する。
【００１０】
前述の本発明の方法において、該タッチパッドは、一つまたは数個のプッシュセンサを利用するタッチパッドを指し、各タッチパッドは座標区分に基づいて数個のキーエリアを形成し、各キーエリアは画面上のキーボード表中の各キーに対応する文字キーエリア、結末文字キーエリア、編集位置調整キーエリアを包含し、タッチパッドのこれらキーエリアが指でプッシュされると、それに対応する文字、結末文字が画面上に入力されるか或いは編集位置調整命令が入力される。
【００１１】
前述の本発明の方法における結末文字とは、文章記号であり、例えば、読点（カンマ）、句点（ピリオド）、クエスチョンマーク、感嘆符、コロン、空白等の文字であり、文を区切るのに用いる文字である。
【００１２】
前述の本発明の方法におけるステップ（２）は、更に時間超過計算のステップを含み、それは即ち、指が該タッチパッドに触れない時間が設定時間を超えたと判断した場合、モニタ上のキーボード表を非表示とするステップである。
【００１３】
前述の本発明の方法においてステップ（２）はさらに、編集位置調整ステップ、即ち、キーボード表の編集位置調整キー、すなわち、上下左右等の方向キー、後退削除キー（Backspace）、入力キー（Enter）、空白キー（Space）、タブキー（Tab）等に対応するタッチパッド上の編集位置調整キーエリアがプッシュされた場合の入力ステップを含み、前述の結末文字キーエリアがプッシュされた場合のほか、これら編集位置調整キーエリアがプッシュされた場合も、モニタ上のキーボード表は消失するが、タッチパッドは依然として文字入力機能を維持する。
【００１４】
前述の本発明の方法において、そのキーボード表上には更に、臨時編集器を含むことが可能であり、文字入力時、臨時に先ず該臨時編集器上に表示し並びに文字列を形成し、結末文字入力時にはモニタ上のキーボード表が消失し、また臨時編集器上の文字列は編集したい文書中に移動、これによりユーザーは全般的な検閲が可能となる。
【発明の効果】
【００１５】
本発明のモニタキーボード表の表示と非表示の制御方法は、ユーザーの入力便利性を高め、並びに適時にキーボード表を隠すことができユーザーの検閲に便宜を図ることを特徴とする。
【発明を実施するための最良の形態】
【００１６】
図１に示す通り、本発明は、プッシュセンサを有するタッチパッド1を最低含み、それは座標区分に基づき複数のキーエリア11に分かれ、並びにシステムに組み合わせてモニタ2上に一つのキーボード表21を表示し（該キーボード表21内の文字定義はシステムに基づき変化させることが可能）、且つ、各キーエリア11は該キーボード表21上の一つのキー211に対応している。タッチパッド1がプッシュされた場合、指が触れたタッチパッド1のキーエリア11に対応するキーボード表21のキー211に対応する文字又は命令が入力されることを示す。
【００１７】
以上の部品の組み合わせにより、本発明の方法3の作動を提供するが、そのステップ（図２参照）には最低次のステップを含む。
（1）指がタッチパッド1に接触したと判断（ステップ31）すると、モニタ2上にキーボード表21が出現する（ステップ311）。
（2）指がタッチパッド1のキーエリア11をプッシュしたと判断（ステップ32）すると、対応する文字を入力する（ステップ321）。
（3）入力された文字が結末文字であると判断（ステップ33）すると、モニタ2上のキーボード表21は即刻消失（ステップ331）し並びに終了する。
【００１８】
前述の本発明の方法におけるステップ（３）中の結末文字は句読点符号であり、例えば、読点（カンマ）、句点（ピリオド）、クエスチョンマーク、感嘆符、コロン、空白等の文字で、文を区切るのに用いる文字である。
【００１９】
図３に、本発明の実施例２を示す。指がタッチパッド1のキーエリア11に接触しない時間が設定時間Ｔを超過した場合（該設定時間Ｔは需要に基づき時間の長さを設定可能）、モニタ2上のキーボード表21が消失し、ユーザーがモニタ2を全般的に検閲するのに便利である。またこの実施例２の方法4中のステップ41、411、42、421、43、431の作動の流れは前述実施例１のステップ31、311、32、321、33、331と同様である故、ここでは説明を省略する。前述した「指がタッチパッド1のキーエリア11をプッシュしたと判断すると、対応する文字を入力する」ステップにおいて、指がタッチパッドに触れていないと判断（ステップ422）し、続いてその指のタッチパッドへの未接触時間が設定時間を超過したか否かの『時間超過計算』ステップ（ステップ44）で、未接触時間が設定時間Ｔを越えると、モニタ2上のキーボード表21（ステップ431）を非表示とする。
【００２０】
図４に、本発明の実施例３を示す。その内のステップ51、511、52、521、522、53、531、54及びその作動の流れは、前述の実施例２と同様である他、該方法5の結末文字入力のステップ53に続き、更に、キーボード表の編集位置調整キーに対応するタッチパッドの編集位置調整キーエリアがプッシュされたかを判断するステップ55を含む。このステップはすなわち、編集位置調整命令が入力されたかを判断するステップである。本発明の方法5は入力されたのが結末文字である他、編集位置調整命令である場合もまた、モニタ2上のキーボード表21を非表示とする（ステップ551）が、タッチパッド1（タッチモニタ）は依然として文字入力機能を維持する。これによりユーザーが再度同一の編集位置調整キーエリアをプッシュしたと判断した場合（ステップ552）、それに対応する編集位置調整命令の入力（ステップ553）を実行する。
【００２１】
前述の本発明の方法5は編集位置調整のステップ55、551において、該編集位置調整キーは、キーボード表中の編集位置調整キー、すなわち、上下左右の方向キー、後退削除キー（Backspace）、入力キー（Enter）、空白キー（Space）、タブキー（Tab）等を指す。
【００２２】
前述方法のステップにより、敏捷にモニタ2上にキーボード表21を自動的に表示することができ、ユーザーによる文字入力に供し、入力結果の検閲時には、該キーボード表21が自動消失し文書を遮ることがない。ここで一つの具体的な実施例を挙げてその作動を次の通り説明する。
【００２３】
図５に示す通り、タッチパッド1に触れていない場合、キーボード表21が表示されることはなく、ユーザーがタッチパッド1に接触した時に、モニタ2にキーボード表21が表示され（図６参照）ユーザーに文字入力をさせる。例えば“Dear Johnson”等の文字を入力したい場合、ユーザーが結末文字（例えばカンマ）を入力すると、キーボード表21は消失し（図７参照）、ユーザーが入力データを検閲するのに便宜を図る。ユーザーが編集位置調整キー（例えば図８のリターンキー）に対応する編集位置調整キーエリアをプッシュした場合も、キーボード表21は消失し、ユーザーが入力位置の検閲をするのに便利である。
【００２４】
図９、図１０に示す通り、本発明のキーボード表21上には更に一つの臨時編集器22を設け、文字入力時、臨時に先ず該臨時編集器22上に表示し、並びに結末文字を入力するまで文字列221を形成し、結末文字を入力した時（例えば図１０に示したピリオド）、モニタ2上のキーボード表21が即刻消失する。また臨時編集器22上の文字列221は編集したい文書上に移動、これによりユーザーは全般的な検閲が可能となる。
【００２５】
前述した通り、本発明のモニタキーボード表の表示と非表示の制御方法は、敏捷にモニタ上にキーボード表を自動的に表示し、文字入力に供し、また入力結果を検閲する時に、該キーボード表を自動消失させ文書を遮るのを防ぐ。
【図面の簡単な説明】
【００２６】
【図１】本発明の実施例に関する概略図である。
【図２】本発明の実施例１に関する作動フローチャートである。
【図３】本発明の実施例２に関する作動フローチャートである。
【図４】本発明の実施例３に関する作動フローチャートである。
【図５】本発明の操作を示す概略図である。
【図６】本発明の操作を示す概略図である。
【図７】本発明の操作を示す概略図である。
【図８】本発明の操作を示す概略図である。
【図９】本発明の操作を示す概略図である
【図１０】本発明の操作を示す概略図である。
【符号の説明】
【００２７】
1    タッチパッド
11  キーエリア
2    モニタ
21  キーボード表
211  キー
22  臨時編集器
221  文字列
3、4、5  方法
31、311、32、321、33、331  ステップ
41、411、42、421、422      ステップ
43、431、44                ステップ
51、511、52、521、522      ステップ
53、531、54                ステップ
55、55、552、553          ステップ
【図１】
0004487149.tif 000002
【図２】
0004487149.tif 000003
【図３】
0004487149.tif 000004
【図４】
0004487149.tif 000005
【図５】
0004487149.tif 000006
【図６】
0004487149.tif 000007
【図７】
0004487149.tif 000008
【図８】
0004487149.tif 000009
【図９】
0004487149.tif 000010
【図１０】
0004487149.tif 000011